(57)【要約】  内側パックとしてのフォイルブロック１１、および、外側パック２５としての折畳み蓋付きボックスを有する、（シガレット）パックは、このフォイルブロック１１のための開口補助体１８を有して形成されており、この開口補助体において、閉鎖タブ２０が、このフォイルブロック１１の取出し開口部１９の解放のために、蓋前壁３１の一部としての蓋内側フラップ３３と結合されている。蓋内側フラップ３３は、運動可能もしくは旋回可能である。蓋の開口の際に、この蓋内側フラップ３３の相対的な運動は、閉鎖タブ２０の開口工程との適合状態において行われる。
2019500292.tif 000002
【特許請求の範囲】
【請求項１】
シガレット（１０）または他の喫煙品物のためのパックであって、このパックが、
有利には、ボックス部（２６）および蓋（２７）を有する折畳み蓋付きボックスパック／ヒンジ蓋付きパックとして構成された、外側パック（２５）と、
シガレット群を有利には全面的に囲繞する、フォイルから成るブランク（１２）を有する、（密閉）フォイルブロック（１１）として構成された、内側パックとを有しており、
前記フォイルブロック（１１）が、有利には、前記フォイルブロック（１１）の内側前壁（１３）の端面側の領域内、および、少なくとも内側端壁（１７）の部分領域内において、開口補助体（１８）を有しており、
前記開口補助体（１８）が、閉鎖手段−閉鎖タブ（２０）−を有しており、この閉鎖手段が、解離可能な粘着部によって、前記フォイルブロック（１１）に固定されており、且つ、前記フォイルブロック（１１）の開口のために、少なくとも部分的にこのフォイルブロックから引き離され、且つ、このことによって、取出し開口部（１９）が少なくとも部分的に露出する様式の上記パックにおいて、
ａ）  前記閉鎖タブ（２０）が、把持端部、有利には（接着剤無しの）結合フラップ（２４）でもって、前記外側パック（２５）の前記蓋（２７）の、運動可能な、特に旋回可能な（操作）フラップと結合されており、
ｂ）  前記蓋（２７）の開口の際に、適合された運動、特に前記（操作）フラップの、前記蓋（２７）に対する相対的な旋回運動に基づいて、前記閉鎖タブ（２０）が開口位置に移動可能である、
ことを特徴とするパック。
【請求項２】
前記蓋（２７）の蓋前壁（３１）の内側面において、操作フラップが附設されており、
この操作フラップは、全体としてまたは部分領域に関して、運動可能に、即ち特に（自由に）旋回可能に形成されており、および、この操作フラップが、前記閉鎖タブ（２０）と、もしくは、この閉鎖タブに附設されている結合フラップ（２４）と結合されていることを特徴とする請求項１に記載のパック。
【請求項３】
前記蓋前壁（３１）と（接着剤によって）結合されていない、特に開始位置において前記蓋前壁（３１）の内側面に当接する、蓋内側フラップ（３３）は、前記閉鎖タブ（２０）のための操作フラップとして利用され、
有利には、操作端部、もしくは、前記閉鎖タブ（２０）の前記結合フラップ（２４）が、前記蓋内側フラップ（３３）の自由な（内方へと指向する）側面と、
前記蓋内側フラップ（３３）が前記蓋（２７）の開口の際に線状リンク部に沿っての、特に前記蓋前壁（３１）の折畳み縁部（３７）に沿っての旋回運動に基づいて、先ず第一に、有利には鋭角の開始位置に、および、その後、継続的な旋回運動のもとで横方向位置に、および、最後には、伸展位置もしくは鈍角の位置に、それぞれに前記閉鎖タブ（２０）の連行のもとで、前記蓋前壁（３１）に対して相対的に運動可能であるように、
（粘着によって）結合されている、
ことを特徴とする請求項１または２に記載のパック。
【請求項４】
開口工程の開始の際に、前記外側パック（２５）の前記蓋（２７）の操作に基づいて、前記操作フラップもしくは前記蓋内側フラップ（３３）と結合された前記結合フラップ（２４）は、先ず第一に、傾斜位置に、および、その後、横方向に整向された位置に旋回可能であり、
前記開口の工程が、上方へと整向された前記結合フラップ（２４）の傾斜位置の到達の後に初めて、前記フォイルブロック（１１）からの前記閉鎖タブ（２０）の剥ぎ取りによって開始可能である、
ことを特徴とする請求項３、または、請求項１または２に記載のパック。
【請求項５】
前記操作フラップは、前記蓋（２７）の一部、特に、前記蓋内側フラップ（３３）の一部、有利にはＵ字形の打抜き線（５０）によって形成された別個の操作フラップ（４９）として構成されており、
この操作フラップが、前記閉鎖タブ（２０）もしくは前記結合フラップ（２４）と結合されていることを特徴とする請求項１、または、請求項２から４のいずれか一つに記載のパック。
【請求項６】
前記蓋内側フラップ（３３）の前記操作フラップ（４９）は、折畳み線もしくは線状リンク部（５１）に沿って旋回可能であり、
この線状リンク部（５１）が、有利には、前記パックの端面に向けられた側面に位置し、前記操作フラップ（４９）が、従って開始位置において、下方へと整向されており、
有利には、前記操作フラップ（４９）の相対的な位置が、前記蓋（２７）および前記閉鎖タブ（２０）の開口運動の間じゅう、基本的に、不変の状態に留まる、
ことを特徴とする請求項５、または、請求項１から４のいずれか一つに記載のパック。
【請求項７】
前記閉鎖タブ（２０）のための操作フラップは、保持フラップとして、前記蓋（２７）の内側面において、もしくは、前記蓋前壁（３１）の内側面、有利には前記蓋内側フラップ（３３）の自由な側面において、特に、
この保持フラップ（５２）が、前記蓋前壁（３１）の内方へと整向された（第３の）層として、前記蓋（２７）の閉鎖位置において、前記結合フラップ（２４）に、および、有利にはこの結合フラップの接着剤領域に当接するように、
附設されていることを特徴とする（特に）請求項１、または、請求項２から６のいずれか一つに記載のパック。
【請求項８】
前記保持フラップ（５２）は、縁部フラップ、もしくは、前記蓋内側フラップ（３３）の延長部として形成されており、且つ、有利には、一体的にこの蓋内側フラップと結合されており、
この保持フラップ（５２）が、前記蓋内側フラップ（３３）の自由な側面に対して折り畳まれ、且つ、有利には、この蓋内側フラップと、接着剤よって結合されていることを特徴とする請求項７、または、請求項１から６のいずれか一つに記載のパック。
【請求項９】
ａ）  前記フォイルブロック（１１）のための前記ブランク（１２）は、平面状の、および、永続的に互いに結合されている少なくとも２つの層もしくは個別のフォイル（４２、４３）から成り、
これら層もしくは個別のフォイルの内の有利には少なくとも１つの層もしくは個別のフォイル（４２、４３）が、密閉フォイルとして、有利には（片側の）金属蒸着によって形成されており、
ｂ）  これら層もしくは個別のフォイル（４２、４３）が、開口補助体（１８）の形成のために、部分切れ目もしくは分離切れ目を、特に、
一方の（外側の）個別のフォイル（４２）が、前記個別のフォイル（４２）（だけ）によって形成される閉鎖タブ（２０）の外側輪郭の区画のための、当該の前記個別のフォイル（４２）に対して区画された切断線（４７）を有しているように、
装備されており、
ｃ）他方の（内側の）個別のフォイル（４３）が、前記個別のフォイル（４２）の前記切断線（４７）に対して、位置ずれされた附設された切断線もしくは弱め線（４８）を、前記（内側の）個別のフォイル（４３）の部分として形成されている開口フラップの区画のために、装備されている、
ことを特徴とする（特に）請求項１、または、請求項２から８のいずれか一つに記載のパック。
【請求項１０】
前記（外側の）個別のフォイル（４２）内における、前記閉鎖タブ（２０）の区画のための有利には一貫した前記切断線（４７）は、Ｕ字形に形成されており、且つ、有利には、前記個別のフォイル（４２）の一部としての接着剤無しの前記操作タブ（２４）も区画していること、および、
有利には、前記Ｕ字形の切断線（４７）の内側で配置されている、前記個別のフォイル（４３）の前記切断線もしくは弱め線（４８）が、前記取出し開口部（１９）に所属して設けられた開口フラップ（３５）の（３つの辺における）区画のために、ほぼＵ字形に形成されていること、
を特徴とする請求項９、または、請求項１から８のいずれか一つに記載のパック。
【請求項１１】
特に前記閉鎖タブ（２０）の内側面に附設された接着剤もしくは接着剤領域（２１、２２、２３）は、前記フォイルブロック（１１）との、前記閉鎖タブ（２０）の結合のために、特に、
前記閉鎖タブ（２０）の操作における開口開始の領域内において、比較的に弱い粘着作用を有する１つの粘着ゾーン−横方向ストリップ（２２）−が、引き続いて比較的に強い粘着作用を有する１つの領域−長手方向ストリップ（２１）−、および、同様に強い粘着作用を有する更に別の１つの領域−固着ストリップ（２３）−が形成されているように、
付着性の異なる強度もしくは耐久力の領域を有していることを特徴とする（特に）請求項１、または、請求項２から１０のいずれか一つに記載のパック。
【請求項１２】
ボックス部（２６）、蓋（２７）、および、カラー部（５４）を有する折畳み蓋付きボックスとしての、前記外側パック（２５）の形成の際に、
前記操作フラップ、特に前記結合フラップ（２４）と結合された前記蓋内側フラップ（３３）、及び／または、特に前記蓋内側フラップ（３３）の一部として形成された前記操作フラップ（４９）、及び／または、前記蓋内側フラップ（３３）と結合された前記保持フラップ（５２）は、形状および特に寸法に関して、
前記当該のフラップ（３３、４９、５２）が、閉鎖された蓋（２７）において、
この当該のフラップ（３３、４９、５２）が閉鎖された蓋において前記フォイルブロック（１１）に（直接的に）当接する程に、
前記カラー部前壁（５５）内におけるカラー部切欠き部（５７）の内側で収容されるように形成されていることを特徴とする請求項１、または、請求項２から１１のいずれか一つに記載のパック。
【請求項１３】
特に、ほぼ前記蓋内側フラップ（３３）の中央の領域内における、有利には少なくとも１つの横方向に整向された材料変形−型押し線（６１）−でもっての、丸くされた、または、多角形状の横断面の形成のもとで、
前記外側パック（２５）の前記蓋（２７）と結合された前記（操作）フラップ、特に前記蓋内側フラップ（３３）は、前処理に基づいて、特に型押し及び／または打抜きに基づいて、
前記蓋（２７）の開口工程の間じゅう、前記閉鎖タブ（２０）の連行のもとで、変形可能であることを特徴とする請求項１、または、請求項２から１２のいずれか一つに記載のパック。
【発明の詳細な説明】
【技術分野】
【０００１】
本発明は、請求項１の上位概念の特徴を有する、シガレットのためのパックに関する。
【背景技術】
【０００２】
シガレットの密閉パックは、有利には、内側パックとしてのフォイルブロックもしくは密閉ブロックと、特に折畳み蓋付きボックスとして構成された外側パックとから成っている。
密閉ブロックは、開口補助体を装備されており、この開口補助体において、何度か利用可能な、適当な粘着剤によって固定された閉鎖タブが、剥ぎ取りによって、開口位置に、および、その後、再び、閉鎖位置に移動され得る。この開口位置において、フォイルブロックの取出し開口部は露出されている。
【０００３】
閉鎖タブが操作フラップと、内側側壁としての折畳み蓋付きボックスの蓋の内側面−蓋前壁−において固定されているパックは、同様に既に公知である。外側パックの蓋の開口の際に、それに従って、閉鎖タブは、（自動的に）共に、開口位置に移動する。蓋の閉鎖の際に、従って、同様に閉鎖位置が達成される（ｇｅｓｃｈａｆｆｅｎ）（特許文献１）。
【先行技術文献】
【特許文献】
【０００４】
【特許文献１】国際出願公開第２０１３／１２０９１３号パンフレット
【発明の概要】
【発明が解決しようとする課題】
【０００５】
本発明の課題は、シガレットのための密閉パックの構造、機能性、および、製造に関する、特に開口補助体の構造に関する工業技術を、更に発展させること、および、改善することである。
【課題を解決するための手段】
【０００６】
この課題を解決するために、本発明に従うパックは、請求項１の特徴を有して形成されている。
【発明の効果】
【０００７】
外側パックの蓋の操作の際の、フォイルブロックまたは密閉ブロックの開口工程および閉鎖工程は、それに従って、重要な位置を占める。
【０００８】
一方では閉鎖タブと他方では蓋との間の結合は、本発明に従い、この蓋における運動可能な操作フラップによって、開口工程の間じゅう、一方では操作フラップと他方では蓋との間の相対的な運動が、しかも閉鎖タブの開口運動または閉鎖運動との適合状態において行われるように形成されている。
この閉鎖タブは、規定された相対的な位置において、引張力を、蓋もしくは蓋前壁に伝達し、従って、この蓋前壁内において、開口工程を容易にする張力が生成する。蓋の閉鎖の際に、蓋、操作フラップ、および、閉鎖タブの相対的な運動が、逆の順番で行われる。
【０００９】
パックの特別の構成に従い、蓋内側フラップは、閉鎖タブのための操作フラップとして利用される。蓋内側フラップは、蓋前壁の内側面と結合されているのではなく、むしろ、自由に運動可能な、即ち、旋回可能なフラップとして、この蓋前壁の内側面に対して折り畳まれている。そのように配置された蓋内側フラップは、折畳み縁部−蓋縁部−（だけ）を介して、蓋前壁と結合されている。
この蓋縁部に沿って、蓋内側フラップは旋回可能である。閉鎖タブ、もしくは、この閉鎖タブの結合フラップは、蓋内側フラップの、自由な（内側）面と−粘着によって−結合されている。蓋の開口の際に、蓋内側フラップは、開始位置から、閉鎖タブの引張力に基づいて、しだいに、ほぼ伸展された位置へと、（鈍角のもとで）蓋前壁に関して運動される。この終端位置において、閉鎖タブは、開口位置にある。
有利には、蓋内側フラップは、相応する前処理に基づいて、特に型押し線及び／または打抜き線によって、蓋の開口工程の際にこの内側フラップが運動工程に適合された「転動運動（Ａｂｒｏｌｌｂｅｗｅｇｕｎｇ）」を実施し、従って、蓋の開口が、内側パックの閉鎖タブの連行のもとで、蓋前壁内における張力無しに経過するように形成されている。
【００１０】
特別な選択肢に従い、操作フラップは、別個の、または、打抜きによって蓋内側フラップの一部として形成された、折畳みフラップとして、蓋前壁の内側面に配置されている。（従来的に形成された）蓋内側フラップの領域内における、有利にはＵ字形の打抜きによって、操作フラップは、しかも蓋内側フラップとのこの操作フラップの結合部としての（線状）リンク部を中心として旋回可能に形成される。
有利には、相対的な位置は、蓋内側フラップのパックに従う折り畳み位置において、−および、蓋前壁との通常の（粘着）結合部において−、旋回軸線が、蓋縁部に対してほぼ平行に延在し、且つ、−閉鎖位置において−この蓋縁部に背を向ける側面に位置するように選択されている。
【００１１】
１つの特徴は、（通常の）カラー部を有する、折畳み蓋付きボックスとして構成された、外側パックのためのこの構成が、有利であることにある。
（別個の）操作フラップは、この操作フラップが、閉鎖された蓋において、蓋前壁の、カラー部において通常の切欠き部内において収容され、且つ、従って、パックの製造の際に、閉鎖タブもしくは結合フラップとの操作フラップの結合のための、押圧力が発生されるように、寸法を設定されている。
【００１２】
（他の）１つの特徴は、フォイルブロックとの閉鎖タブの粘着性の結合である。このフォイルブロックは、フォイルもしくはブランクの（事前の）打抜きによって形成されているか、それとも、閉鎖タブによる開口タブの分離によって生成する、取出し開口部を形成している。
閉鎖タブは、Ｕ字形もしくは枠形状に形成された接着剤パターンによって、フォイルブロックの取出し開口部を形成する粘着ゾーンの領域内において結合されている。この粘着ゾーンは、開口工程の開始の際に、即ち結合フラップの操作の直後、先ず第一に、比較的により弱い粘着が有効であるように形成されている。この粘着は、閉鎖タブの増大する開口工程、即ち増大する解離によって、より強度になる。
【００１３】
更に、本発明に従い、結合フラップが、多層状のフォイルの（外側の）層として、この多層状のフォイル内において統合されていることは可能である。
【００１４】
特別のパックは、蓋の操作フラップが、蓋内側フラップの延長部として、有利にはこの蓋内側フラップの内側面に対するそのように配置された操作フラップの折り畳みのもとで形成されているように、形成されている。
この蓋内側フラップおよび操作フラップが、蓋前壁の内側面において、交互の（粘着）結合無しに、折り畳まれていることは可能である。
１つの構成が有利であり、この構成において、少なくとも、蓋内側フラップが、接着剤によって、蓋前壁の内側面において固定されており、且つ、有利には、（折り畳まれた）操作フラップが、この蓋内側フラップの外側面において、同様に粘着されている。
そのように配置された操作フラップは、大きさ、形状、および、相対的な位置に関して、操作フラップが、閉鎖された蓋において、折畳み蓋付きボックスのカラー部−カラー部前壁−において通常に収容され、且つ、従って、閉鎖タブ、もしくは、この閉鎖タブの結合フラップの外側面と当接し、且つ、この結合フラップと（接着剤によって）結合されているように、形成もしくは配置されている。
【００１５】
パック、包装材料、並びに、パックを製造するための方法の実施例を、以下で図に基づいて説明する。
【図面の簡単な説明】
【００１６】
【図１】シガレットのための、フォイルブロックもしくは密閉ブロックの透視図である。
【図２】開口された位置における、シガレットのための全部そろったパックの、同様に透視図である。
【図３】開口の開始段階における、縦断面ＩＩＩ−ＩＩＩにおける、図２内におけるパックの蓋側（上側）の部分領域の図である。
【図４】継続的な開口工程における、図３に相応する図である。
【図５】蓋の開口における最終段階の図である。
【図６】開口された蓋と開口されたフォイルブロックとにおける、パックの図である。
【図７】図１に従うフォイルブロックのための、広げられたブランクの図である。
【図８】拡大された尺度での、図７内におけるブランクの横断面ＶＩＩＩ−ＶＩＩＩの図である。
【図９】開口位置における、パックの他の構成のための、図２に類似した図である。
【図１０】拡大された尺度での、図９に従うパックの、蓋側（上側）の領域の縦断面Ｘ−Ｘの図である。
【図１１】図９、図１０に従う密閉ブロックもしくはフォイルブロックのための、広げられたブランクの図である。
【図１２】拡大された尺度での、図１１内におけるブランクの横断面ＸＩＩ−ＸＩＩの図である。
【図１３】図２に類似した、（開口された）図における、パックの更に別の構成の図である。
【図１４】開口工程の開始段階における、図１３に従うパックの、蓋側の縦断面図である。
【図１５】開口された位置における、図１３内における縦断面ＸＶ−ＸＶの図である。
【図１６】閉鎖された蓋における、図１３から図１５までに従うパックの正面図である。
【図１７】図１６に従う（外側）パックのための、広げられたブランクの蓋側の部分領域の図である。
【図１８】開口された蓋における、特にシガレットのための、密閉パックの他の実施形態の透視図である。
【図１９】閉鎖された蓋における、図１８に従うパックの、蓋側の縦断面図である。
【図２０】矢印ＸＸに従う、図１８、図１９に従うパックの正面図である。
【図２１】図１８から図２０までに従うパックのための、図１７に類似した、ブランクの部分領域の図である。
【発明を実施するための形態】
【００１７】
図は、シガレット１０のためのパックの形状に関連している。
整列された、特に、列から成るシガレット群は、内側パック、即ちフォイルブロック１１の中身である。このフォイルブロックは、有利にはフォイル、特に湿気および芳香を通さないフォイルから成るブランク１２から成っている。シガレット１０の群は、有利には、完全に、即ち、全ての側面で、ブランク１２によって包囲されており、それに従って、内側前壁１３、内側後壁１４、内側側壁１５、内側底壁１６、および、内側端壁１７を有する、密閉ブロックを形成している。
【００１８】
ブランク１２は、内側端壁１７が、折畳み無しであるというよりも、むしろ、一貫して閉鎖された壁部を形成するように形成されている、もしくは、シガレット１０の群の周りを廻って折り畳まれている。
この領域内において、開口補助体１８が附設されており、この開口補助体が、パック内容物への、容易な、特に自動的な外からの取扱いを可能にする。フォイルブロック１１は、この目的のために、取出し開口部１９を端面側の領域内において形成している。有利には、取出し開口部１９は、内側端壁１７にわたって横方向に、および、内側前壁１３の引き続いての端面側の一部分内において延在している。取出し開口部１９は、有利には、特にフォイルブロック１１よりも（明確に）小さな幅を有して、中央に配置されている。
【００１９】
取出し開口部１９は、−閉鎖されたパックにおいて−有利には、完全に、閉鎖手段、特に閉鎖タブ２０によって覆われている。側方で、このタブ２０は、有利には周りを取り囲んで、長手方向ストリップ２１および横方向ストリップ２２を有するストリップ形状で枠形状の張り出し部を形成している。
固着ストリップ２３は、永続的に、特に内側後壁１４の領域内における閉鎖タブ２０の脚部として、フォイルブロック１１と結合されている。前記の縁部ストリップ２１、２２、２３は、フォイルブロック１１との、即ち取出し開口部１９を枠形状で囲繞する接着剤パターンとの、閉鎖タブ２０の粘着性の結合のための接着剤パターンを特徴としている。
少なくとも長手方向ストリップ２１および横方向ストリップ２２は、解離可能な、且つ、繰り返して作用する粘着剤、特に、いわゆるＰＳＡ粘着剤でもって固定されている。
【００２０】
閉鎖タブ２０は、一方の端部領域において、即ち、内側前壁１３内へと突出する脚部の領域内において、グリップフラップもしくは結合フラップ２４を装備されている。閉鎖タブ２０が手動で操作されるべき場合、この結合フラップ２４は、内側前壁１３に面した側面において接着剤が無い。有利には、この操作タブは、閉鎖タブ２０の全幅にわたって、この閉鎖タブの縁部ストリップとして延在している。
【００２１】
フォイルブロック１１は、内側パックとして、有利にはボックス部２６および蓋２７を有する折畳み蓋付きボックスとして構成された外側パック２５内において配置されている。この蓋は、ボックス後壁２８の領域内において、蓋後壁２９と、線状リンク部を介して旋回可能に結合されている。
【００２２】
閉鎖タブ２０、特にこの閉鎖タブの結合フラップ２４は、蓋２７と、この蓋の開口の際にこの閉鎖タブ２０が同様に開口位置に到達するように、結合されている（図３から図６）。
この目的のために、閉鎖タブ２０もしくは結合フラップ２４は、蓋２７と、もしくは、この蓋２７の一部であるもしくはこの蓋と結合されている接続フラップと、結合されている。
特に、結合フラップ２４は、蓋２７の蓋前壁３１の一部と、しかも、永続的に、有利には結合フラップ２４の長手方向に延在している接着剤ストリップ３２（及び／または、接着剤点４１）によって、結合されている。この接着剤ストリップは、結合フラップ２４の外側面に附設されている。
パックもしくは外側パック２５の製造の際、蓋２７の閉鎖位置内において、結合フラップ２４との結合は、接着剤ストリップ３２（もしくは接着剤点４１）を介して、場合によっては、蓋前壁３１の外側面に対して作用される一時的な押圧力によって、形成される。
【００２３】
有利には、閉鎖タブ２０もしくはこの閉鎖タブの結合フラップ２４は、蓋内側フラップ３３に、（一体的に）蓋前壁３１と結合される折畳みフラップとして附設されている。蓋内側フラップ３３は、有利には、ただ折畳み縁部３７だけに沿って、蓋前壁３１と結合されている。この折畳み縁部３７は、同時に、前側の蓋縁部もしくは閉鎖縁部である。蓋内側フラップ３３は、それに従って、蓋前壁３１の内側面と（接着剤によって）結合されていない。
【００２４】
自由に運動可能な、もしくは、旋回可能な蓋内側フラップ３３の、（自由な、内方へと整向された側面）における、結合フラップ２４の（永続的な）固定は、パックもしくは蓋２７の開口および閉鎖における特別の運動学的状況を誘起する。
開口工程の開始の際に（図３）、蓋内側フラップ３３は、−結合フラップ２４の相応する位置において−鋭角な相対的な位置に到達する。蓋２７の継続的な開口運動において、結合フラップ２４および蓋内側フラップ３３は、先ず第一に、横方向位置（図４）に、および、その後、立ち上げられた位置に到達する（図５）。
【００２５】
開口工程の際に蓋２７および閉鎖タブ２０の特別の運動経過に対しての適合が行われるような、蓋２７の構成は、有利である。蓋内側フラップ３３は、型押し及び／または打抜きによって、蓋内側フラップ３３の適合する変形がこの開口工程の際に行われるように、準備されている。
図示された実施例において、ほぼ中央に配置された、および、横方向に延在する、個々の型押し線６１が設けられており、この型押し線は、開口工程の経過における、蓋内側フラップ３３の屈曲位置を保証する。この型押し線６１は、有利には、相応する工具の型押し圧力が、自由な側面において附設されており、および、これに伴って、−蓋前壁３１への方向における−内方への隆起部状の変形が与えられているように配置されている。
この効果は、有利には平行の複数の型押し部または型押し線が附設され、及び／または、横方向に整向された打抜き線、特にパーフォレーション線が附設されていることによって向上され得る。これらは、フラップ３３の一種の転動運動が、開口工程および閉鎖工程の際に行われることを生起可能である。
【００２６】
蓋内側フラップ３３の（適合された）寸法、および、（外側パック２５が有利には薄い厚紙から成る）材料の形状安定性に基づいて、蓋内側フラップ３３の横方向位置において（図４）、蓋前壁３１内における張力が発生され、この張力が、この蓋前壁の軽度な変形を誘起可能である。
蓋内側フラップ３３は、幅に関して、有利には、この蓋内側フラップ３３の中間位置において自由な縁部の支持がフォイルブロック１１において行われ得るように、寸法を設定されている。更に、蓋前壁３１の軽度に湾曲された変形は生じる。
【００２７】
継続的な運動において、場合によっては相応する音を有する、折畳み機能が行われる。この運動経過は、安定的な、相対的な位置を誘起する（図５）。有利には、閉鎖タブ２０の開口工程は、図５に従う安定的な折り畳み位置の到達の後に初めて、および、蓋２７の更なる開口工程において、−フォイルブロック１１との粘着結合の解離によって−開始する。蓋内側フラップ３３は、最後には、蓋前壁３１に対する鈍角のもとでの終端位置に、もしくは、伸展位置に到達する（図６）。
−閉鎖タブ２０を有する−蓋２７の閉鎖の際に、機能経過は、逆の順番で与えられる。
【００２８】
フォイルブロック１１は、有利には密閉ブロックとして形成されている。全ての面で閉鎖された内側パックの内側で、カバー要素もしくは支持部材、本実施例において、特に前壁、側方フラップ、および、底壁を有して構成されたトレー３４が配置されていることは可能である。シガレット１０の群は、直接的に、トレー３４によって囲繞される。
【００２９】
有利には、熱的にシーリング可能なフォイルから成るフォイルブロック１１は、シーリング合わせ目、特に、内側側壁１５の領域内における側方合わせ目３６、および、内側後壁１４の領域内における横方向合わせ目４０を装備されている。これらシーリングによって製造された合わせ目３６、４０は、有利には、ひれ状合わせ目として形成されている。
【００３０】
フォイルブロック１１は、有利には連続したフォイルウェブから分離された、ブランク１２から製造される。
図７は、フォイルブロック１１のパック表面に関する仮想の折畳み線を、シーリング合わせ目３６、４０をも含めて示している。開口補助体１８は、有利には、（折り畳まれていない）ブランク１２もしくはフォイルウェブに附設されている。取出し開口部１９は、開口フラップ３５によってマーク付けされており、この開口フラップが、周りを取り囲んで延びるパーフォレーション線３８によって区画されている。
開口フラップ３５は、（全面的に）粘着によって、閉鎖タブ２０の内側領域と結合されている。この場合には、開口フラップ３５は、フォイルブロック１１の（最初の）開口の際に、ブランク１２との複合体から分離されるが、しかしながら、閉鎖タブ２０との結合状態に留まっている。
選択的に、開口フラップ３５が、閉鎖タブ２０の附設の前に、完全に、フォイルウェブ、または、ブランク１２から分離、および、除去されることは可能である。この場合には、露出する（取出し）開口部１９は、閉鎖タブ２０によって覆われている。この閉鎖タブは、この選択肢のために、開口部１９の領域内において、粘着剤無しに、むしろ、枠形状に附設された接着剤ストリップ２１、２２、２３だけを有して形成されている。
【００３１】
（独自の）１つの特徴は、フォイルブロック１１との、閉鎖タブ２０の（解離可能な）結合のための、接着剤領域もしくは接着剤パターンの形成である。
特に図７から見て取れるように、閉鎖タブ２０は、枠形状に形成された、取出し開口部１９を囲繞する接着剤パターンを装備されている。この接着剤パターンは、製造の際に、（別個のブランクから成る）閉鎖タブ２０及び／またはブランク１２に附設されていることは可能である。
【００３２】
特に、長手方向ストリップ２１、横方向ストリップ２２、および、固着ストリップ２３を有する、接着剤パターン（有利には、ＰＳＡ粘着剤）は、フォイルブロック１１の開口の際および閉鎖の際における応力に相応して、異なる付着作用でもって形成されている。有利には、少なくとも横方向ストリップ２２は、接着剤パターンの残りの部分よりも小さな付着作用を有して形成されている。
本実施例において、同様に長手方向ストリップ２１の始端脚部３９も、比較的に小さな付着作用を有して形成されており、従って、特に閉鎖タブ２０のための開口工程の導入が容易にされている。
【００３３】
密閉ブロックもしくはフォイルブロック１１に関する、および、特に開口補助体１８に関する特別な構成は、図９から図１２まで内において図示されている。
フォイルブロック１１のためのフォイルは、多層状に形成されており、特に２つの層、もしくは、個別のフォイル４２および４３から成っている（図１２）。これら層もしくはフォイルは、−主として−全面的に、有利には解離不能な接着剤から成る接着剤層４４によって互いに結合されており、従って、この領域内において、個別のフォイル４２、４３は、分離不能なフォイルユニットを形成している。
【００３４】
有利には、これら個別のフォイル４２、４３の内の少なくとも１つの個別のフォイル、本実施例において内側の個別のフォイル４３は、有利には蒸着によって附設された（金属製の）遮断被膜４５によって、芳香および湿気を通さないように形成されている。この遮断被膜は、ここで、これら多層状のフォイルの内側に位置している。接着剤層４４は、それに従って、遮断被膜４５の領域内における個別のフォイル４２、４３を結合している。
【００３５】
前記された方法で形成された多層状のフォイルが、上述の実施例に相応する開口補助体１８を装備されていることは可能である。このフォイルの構造は、しかしながら、格別優れた方法で形成された開口補助体１８を可能にし、この開口補助体が、個別のフォイル４２、４３の利用のもとで、このフォイルへと統合されている。
【００３６】
閉鎖タブ２０は、外側に位置する個別のフォイル４２によって形成されている。
内側に位置する個別のフォイル４３は、この個別のフォイルが、取出し開口部１９としての製造の際に付設される開口部か、または、開口工程の際に閉鎖タブ２０を用いて分離可能な開口タブもしくは開口フラップ３５か、を形成するように加工されている。この開口フラップは、図示されているように、有利には、全面的な粘着によって、（内側で）閉鎖タブ２０と結合されている。
【００３７】
開口補助体１８は、このパックにおいて、ブランク１２の領域内において（図１１）、有利には、しかしながら、（多層状の）フォイルの製造の際に、しかも、異なる接着剤タイプの合目的な附設、個別のフォイル４２、４３の間の接着剤無しの領域の形成、および、個別の層４２、４３内における分離線の合目的な附設によって製造される。
【００３８】
有利には、層もしくは個別のフォイル４２、４３の組み合わせの際に、開口補助体１８の機能性のために必要である面は、手を付けずにおかれるか、もしくは、同時に、または、位置ずれされて接着剤を装備される。
本実施例において、Ｕ字形の面は、長手方向ストリップ２１と横方向ストリップ２２の形成のための前記された実施例に類似して、個別のフォイル４２、４３の間で、解離可能な接着剤（ＰＳＡ粘着剤）を装備されている。
更に、接着剤層４４の附設に関して、−ストリップ形状で矩形の−フリーゾーン４６が形成されている。この領域内において、如何なる接着剤も、従って、接着剤層４４も開口補助体１８の（ＰＳＡ）粘着剤も存在しない。ここでは、グリップフラップもしくは結合フラップ２４が存在する。
【００３９】
閉鎖タブ２０及び／または開口フラップ３５の形成のために、分離切れ目もしくは分離線が、製造されるべき開口補助体１８の領域内において、有利には層４２、４３、４４、４５に関して完成されたフォイル内において附設される。個々の層の領域内において附設される分離線は、有利には、レーザーによって製造され、且つ、このことによって、有効性に関して、当該の層に限定される。
【００４０】
閉鎖タブ２０の外側輪郭部は、有利には、一貫した、即ち間断の無い、基本的に、（単に）外側の層の、即ち個別のフォイル４２の領域内における、Ｕ字形の切断線４７から成っている。
この切断線は、（少なくとも部分的に）内側端壁１７の領域、および、内側前壁１３の引き続いての端面側の領域において、有利にはほぼ平行の脚部を有して延在している。図１１の実施例において、切断線４７は、内側後壁１４領域内において、端部片（Ｅｎｄｓｔｕｅｃｋ）を有して延在している。横方向に整向された脚部は、内側前壁１３内において延在し、且つ、結合フラップ２４を区画している。切断線４７は、閉鎖タブ２０の外側輪郭を規定する。
【００４１】
内側に位置する個別のフォイル４３は、この個別のフォイル４３から形成された開口フラップ３５の分離によって、取出し開口部１９を形成し、この開口フラップが、有利には相応して配置されている接着剤層４４によって、本実施例において閉鎖タブ２０と結合されている。
開口フラップ３５の輪郭は、有利には、同様に、ほぼＵ字形の弱め線４８によって規定され、この弱め線が、適当な工業技術（レーザー）の使用によって、個別のフォイル４３に対して（薄い遮断被膜４５をも含めて）区画されている。弱め線４８は、−残余結合部を有する−パーフォレーションとして、有利には、しかしながら、一貫した切断線として形成されていることは可能である。
本実施例において、一方では切断線４７の端部が、および、他方では弱め線４８が、−内側後壁１４の領域内において−互いに隣接して終わるように配設されている。
【００４２】
開口補助体１８の接着剤パターン、即ち、長手方向ストリップ２１と横方向ストリップ２２とでもってのＵ字形の接着剤パターンは、接着剤強度に関して、前記された方法（図５）で形成されている。
接着剤ストリップ２１、２２は、言うまでも無く結合フラップ２４のための輪郭を除いて、切断線４７および弱め線４８が、−後者の弱め線は完全に−これら接着剤パターン２１、２２の領域内において位置しているように規定されている。有利にはＰＳＡ粘着剤から成る接着剤領域は、図１１および図１２から見て取れるように、ほんの少しだけ切断線４７と弱め線４８との間の間隔よりも幅広であり、従って、この領域内において、分離線が解離可能な粘着剤によって覆われている。
【００４３】
前記の方法において形成された密閉ブロックもしくはフォイルブロック１１は、説明された方法において、外側パック２５の蓋２７に連結されている。（単層の）結合フラップ２４は、接着剤（接着剤ストリップ３２及び／または接着剤点４１）によって、自由に旋回可能な蓋内側フラップ３３の内側面と結合されている。
開口工程および閉鎖工程は、説明された方法において経過し、その際、閉鎖タブ２０が、開口位置内において露出する、内側の個別のフォイルのＵ字形の領域と結合されている。この内側の個別のフォイルは、開口された閉鎖タブ２０の際に露出する（図９内におけるハッチングされた表面）。
【００４４】
図１３から図１７までに従う実施例において、閉鎖タブ２０もしくは結合フラップ２４は、蓋２７の内側面における、別個の（運動可能な、もしくは、旋回可能な）フラップと結合されている。
操作フラップ４９は、蓋前壁３１の内側面に、本実施例において蓋内側フラップ３３の一部として、附設されている。この蓋内側フラップは、Ｕ字形の打抜き線５０（図１７）を装備されており、この打抜き線が、蓋内側フラップ３３に一部としての操作フラップ４９を区画している。操作フラップ４９は、蓋内側フラップ３３よりも小さな（長手方向および横方向の）寸法を有している。
このフラップ４９の運動可能性、即ち、旋回可能性は、旋回線もしくは線状リンク部５１によって得られ、この線状リンク部が、蓋内側フラップ３３のパックに従う位置において、端壁に向けられている。蓋内側フラップ３３は、−操作フラップ４９の領域の外側で−有利には蓋前壁３１と、通常の方法で、粘着によって結合されている。
【００４５】
結合フラップ２４は、有利には、操作フラップ４９の内側面と結合されている。この操作フラップは、それ故に、（パックの製造の際に）直立した位置に、ほぼ図１４に相応して折り畳まれる。操作フラップ４９の内側面は、このことによって、結合フラップ２４に向けられ、且つ、−閉鎖された蓋２７の際に−この結合フラップ２４の高さに位置している。接着剤結合−結合フラップ２４の外側面における接着剤点４１−によって、フラップ２４とフラップ４９との間の結合が形成される。
【００４６】
外側パック２５の開口の際に、閉鎖タブ２０と操作フラップ４９との間の相互作用が行われる。この操作フラップは、その際、上方へと整向された開始位置（図１４）から、−蓋前壁３１に対して鋭角のもとでの−下方へと整向された終端位置へと運動される。閉鎖タブ２０は、その際、閉鎖位置から開口位置に引っ張られる。
【００４７】
同様に図１８から図２１までに従う実施例においても、閉鎖タブ２０もしくは結合フラップ２４は、蓋前壁３１の内側面、特に保持フラップ５２における特別のフラップに固定されている。
この保持フラップは、蓋内側フラップ３３の内側面に、有利にはこの蓋内側フラップ３３の延長部または始端部片として、附設されている（図２１）。保持フラップ５２は、（折り畳まれた）蓋内側フラップ３３の自由な内側面に当接しており、且つ、有利には、この蓋内側フラップと、粘着−接着剤点５３−によって結合されている。蓋前壁３１、蓋内側フラップ３３、および、保持フラップ５２は、３つの層の形成のもとで、行ったり来たりしての折り畳みにおいて互いに結合されている。従って、３層の蓋前壁が生成する。
【００４８】
閉鎖タブ２０もしくは結合フラップ２４は、自由な外側面でもって、粘着（接着剤ストリップ３２）によって、保持フラップ５２の自由な（内）側面において固定されている。蓋２７の開口の際に、閉鎖タブ２０は、開口位置に引っ張られる。折畳み蓋付きボックスとして構成された外側パック２５が、−従来の方法において−選択的にカラー部５４を有して、または、カラー部無しに形成されていることは可能である。
カラー部５４は、折畳み蓋付きボックスの、それ自体で通常の部分であるが、しかしながら、フォイルブロック１１の特別の構成において、例えば図９および図１０に従うパックのように、省略することは可能である。
【００４９】
カラー部５４は、カラー部前壁５５、および、横方向に整向されたカラー部側方フラップ５６から成っている。後者のカラー部側方フラップは、ボックス部２６の上側で、フォイルブロック１１の内側側壁１５を覆っている。
【００５０】
カラー部前壁５５の領域内において、通常、カラー部切欠き部５７が位置している。このカラー部切欠き部は、カラー部縁部５８によって区画されている。側方で、カラー部ウェブ５９は、カラー部前壁５５によって、カラー部切欠き部５７の区画のために形成されている。
【００５１】
図２から図６に従うパックにおいて、カラー部５４は、特別な方法において、即ち、カラー部切欠き部５７が、ボックス部２６の領域内に至るまで延在するように形成されている。カラー部縁部５８の横方向に整向された部分は、ボックス部２６によって形成された前側の密閉縁部６０の下側に位置している。
【００５２】
密閉ブロック１１もしくは開口補助体１８は、形状および寸法に関して、外側パック２５の構造に適合されている。
図１から図６までに従う実施例において、有利には、閉鎖タブ２０の把持のための操作フラップとしての蓋内側フラップ３３は、カラー部切欠き部５７に、特に、閉鎖された蓋２７において、蓋内側フラップ３３が、カラー部ウェブ５９の間で、即ち、カラー部切欠き部５７の内側で（完全に）収容されるように適合されている。蓋内側フラップ３３は、それに従って、この解決策において、蓋前壁３１よりも小さな幅でもって、形成されている。
【００５３】
図１３から図１７までに従う実施例において、有利には、カラー部５４は、旧来の構成において設けられている。
同様にここでも、操作フラップ４９は、カラー部５４の寸法に、特に、操作フラップ４９が閉鎖された蓋においてカラー部切欠き部５７の内側に位置し、このカラー部切欠き部を、どんな場合でも、カラー部ウェブ５９の領域内において側方で覆わないように、適合されている。有利には、操作フラップ４９の線状リンク部５１は、カラー部縁部５８の横方向に整向された部分の領域内において、有利にはほんの少しだけこの縁部５８の上側で、即ちカラー部切欠き部５７の領域内において、配置されている。
【００５４】
同様に図１８から図２１までに従う実施例においても、カラー部５４もしくはカラー部切欠き部５７に対する保持フラップ５２の形状的な適合は、特に、閉鎖された蓋において（図１９）、保持フラップ５２が、完全に、カラー部５４のカラー部切欠き部５７内において収容されるように行われている。
（下方へと整向された）保持フラップ５２は、特に、カラー部前壁５５の平面内において位置する。従って、閉鎖された蓋において、保持フラップ５２の当接部は、結合フラップ２４もしくはこの結合フラップの接着剤位置において得られる。
【符号の説明】
【００５５】
１０  シガレット
１１  フォイルブロック
１２  ブランク
１３  内側前壁
１４  内側後壁
１５  内側側壁
１６  内側底壁
１７  内側端壁
１８  開口補助体
１９  取出し開口部
２０  閉鎖タブ
２１  長手方向
２２  横方向ストリップ
２３  固着ストリップ
２４  結合フラップ
２５  外側パック
２６  ボックス部
２７  蓋
２８  ボックス後壁
２９  蓋後壁
３０  線状リンク部
３１  蓋前壁
３２  接着剤ストリップ
３３  蓋内側フラップ
３４  トレー
３５  開口フラップ
３６  側方合わせ目
３７  折畳み縁部
３８  パーフォレーション線
３９  始端脚部
４０  横方向合わせ目
４１  接着剤点
４２  個別のフォイル
４３  個別のフォイル
４４  接着剤層
４５  遮断被膜
４６  フリーゾーン
４７  切断線
４８  弱め線
４９  操作フラップ
５０  打抜き線
５１  線状リンク部
５２  保持フラップ
５３  接着剤点
５４  カラー部
５５  カラー部前壁
５６  カラー部側方フラップ
５７  カラー部切欠き部
５８  カラー部縁部
５９  カラー部ウェブ
６０  密閉縁部
６１  型押し線
【図１】
2019500292.tif 000003
【図２】
2019500292.tif 000004
【図３】
2019500292.tif 000005
【図４】
2019500292.tif 000006
【図５】
2019500292.tif 000007
【図６】
2019500292.tif 000008
【図７】
2019500292.tif 000009
【図８】
2019500292.tif 000010
【図９】
2019500292.tif 000011
【図１０】
2019500292.tif 000012
【図１１】
2019500292.tif 000013
【図１２】
2019500292.tif 000014
【図１３】
2019500292.tif 000015
【図１４】
2019500292.tif 000016
【図１５】
2019500292.tif 000017
【図１６】
2019500292.tif 000018
【図１７】
2019500292.tif 000019
【図１８】
2019500292.tif 000020
【図１９】
2019500292.tif 000021
【図２０】
2019500292.tif 000022
【図２１】
2019500292.tif 000023
【国際調査報告】
2019500292.tif 000024
2019500292.tif 000025
2019500292.tif 000026
2019500292.tif 000027